(57)【要約】【課題】組付完了時には確実にケースを接合するが、かしめ前の確認時には簡単にケースを開くことができる配線用遮断器の開発を提供する【解決手段】第１ケース１又は第２ケース２の端面に近設した位置に、相手ケース側に突出し、その板面が前記端面と垂直になるように配設した板部１０を突設し、板部１０の先端に、板部１０の板面から垂直方向に膨出した引掛部１１を設け、第１ケース１及び第２ケース２の他方側に、引掛部１１の係合面と、その係合面が係合して引っ掛けられる被引掛部１２を設け、前記端面の第１ケース１と第２ケース２の当接部を支点として、第１ケース１及び第２ケース２の一方を、前記支点の反対側から押し上げると、板部１０が前記板面の垂直方向に撓んで、引掛部１１と被引掛部１２の係合が外れて、第１ケース１と第２ケース２が開くように構成する。【選択図】図２
2008084767.tif 000002
【特許請求の範囲】
【請求項１】
その内部に部品が収納される、扁平箱形形状のケースの外周面を、２分割にして構成される第１ケースと第２ケースを有する配線用遮断器において、前記第１ケース又は第２ケースの端面に近設した位置に、相手ケース側に突出し、その板面が前記端面と垂直になるように配設した板部を突設し、この板部の先端に、この板部の板面から垂直方向に膨出した引掛部を設け、前記第１ケース及び第２ケースの他方側に、前記引掛部の係合面と、その係合面が係合して引っ掛けられる被引掛部を設け、前記端面の第１ケースと第２ケースの当接部を支点として、前記第１ケース及び第２ケースの一方を、前記支点の反対側から押し上げると、前記板部が前記板面の垂直方向に撓んで、前記引掛部と被引掛部の係合が外れて、前記第１ケースと第２ケースが開くように構成したことを特徴とする配線用遮断器。
【請求項２】
引掛部及び被引掛部の係合面の少なくとも一方と、板部の板面のなす角を鈍角にしたことを特徴とする請求項１に記載の配線用遮断器。
【請求項３】
引掛部及び被引掛部の少なくとも一方の係合面の、支点と反対側の角部を切り落として、案内面を設けたことを特徴とする請求項１〜請求項２のいずれかに記載の配線用遮断器。
【発明の詳細な説明】
【技術分野】
【０００１】
本発明は、組立確認時に容易にケースを開くことが可能な配線用遮断器に関するものである。
【背景技術】
【０００２】
配線用遮断器のケースは、２分割構造となっていて、その内部に遮断機構が収納されている。従来から、この２分割のケースは、２分割のケースを貫通するリベットピンをかしめることにより接合されている。最近では、自動組立機で配線用遮断器を組み立てる際には、ケースの内部に収納される部品の脱落を防止するため、特許文献１に示されるような、ケースに設けられた弾性係止片でケースを仮保持するようにした配線用遮断器がある。なお、この弾性係止片は、リベットピンの代わりに２分割のケースを接合することにより、かしめ箇所を少なくすることができる利点がある。
【０００３】
ところで、自動組立機で配線用遮断器を組み立てる際には、あるロットごとに、ケースをかしめる前にケースを開けて、正規にケースの内部に収納された部品が配置されているか等を確認する必要がある。しかしながら、前述したように弾性係止片で係止している部分は、リベットピンの代わりとなって、ケースを接合する必要があるため、弾性係止片による接合部分は簡単には外れない構造となっている。このため、組立確認時に、ケース内部に収納されている部品が、２分割のケースを開ける衝撃により、脱落することがあったり、また、専用の工具を用いて２分割のケースを開けたりする必要があり、作業性が悪く煩雑であるという問題があった。
【０００４】
そこで、組付完了時には弾性片がリベットピンの代わりとなって確実に２分割のケースを接合するが、かしめ前の確認時には簡単にケースを開くことができる配線用遮断器の開発が要望されていた。
【特許文献１】特開２００１−３０７６１１号公報
【発明の開示】
【発明が解決しようとする課題】
【０００５】
組付完了時には確実にケースを接合するが、かしめ前の確認時には簡単にケースを開くことができる配線用遮断器の開発を提供する。
【課題を解決するための手段】
【０００６】
上記課題を解決するためになされた本発明は、その内部に部品が収納される、扁平箱形形状のケースの外周面を、２分割にして構成される第１ケースと第２ケースを有する配線用遮断器において、前記第１ケース又は第２ケースの端面に近設した位置に、相手ケース側に突出し、その板面が前記端面と垂直になるように配設した板部を突設し、この板部の先端に、この板部の板面から垂直方向に膨出した引掛部を設け、前記第１ケース及び第２ケースの他方側に、前記引掛部の係合面と、その係合面が係合して引っ掛けられる被引掛部を設け、前記端面の第１ケースと第２ケースの当接部を支点として、前記第１ケース及び第２ケースの一方を、前記支点の反対側から押し上げると、前記板部が前記板面の垂直方向に撓んで、前記引掛部と被引掛部の係合が外れて、前記第１ケースと第２ケースが開くように構成したことを特徴とするものである。
【０００７】
なお、引掛部及び被引掛部の係合面の少なくとも一方と、板部の板面のなす角を鈍角にすることが好ましい。
【０００８】
また、引掛部及び被引掛部の少なくとも一方の係合面の支点と反対側の角部を切り落として、案内面を設けることが好ましい。
【発明の効果】
【０００９】
第１ケース又は第２ケースの端面に近設した位置に、相手ケース側に突出し、その板面が前記端面と垂直になるように配設した板部を突設し、この板部の先端に、この板部の板面から垂直方向に膨出した引掛部を設け、第１ケース及び第２ケースの他方側に、前記引掛部の係合面と、その係合面が係合して引っ掛けられる被引掛部を設け、前記端面の第１ケースと第２ケースの当接部を支点として、第１ケース及び第２ケースの一方を、前記支点の反対側から押し上げると、前記板部が前記板面と垂直方向に撓んで、引掛部と被引掛部の係合が外れて、第１ケースと第２ケースが開くように構成したので、組付完了時には確実にケースを接合するが、かしめ前の確認時には簡単にケースを開くことができる配線用遮断器を提供することが可能となった。
【００１０】
引掛部及び被引掛部の係合面の少なくとも一方と板部の板面のなす角を鈍角にすると、かしめ前の確認時に、さらに簡単にケースを開くことが可能となる。
【００１１】
引掛部及び被引掛部の少なくとも一方の係合面の支点と反対側の角部を切り落として、案内面を設けると、さらに簡単にケースを開くことが可能となる。
【発明を実施するための最良の形態】
【００１２】
以下に、図面を参照しつつ本発明の好ましい実施の形態を示す。
図１に本発明の実施の形態を示す配線用遮断器の正面図を示し、図２に図１の配線用遮断器の分解斜視図を示す。図２において、１は第１ケースであり、２は第２ケースであり、扁平箱形形状のケースの外周面を２分割にして構成されている。
【００１３】
これらの第１ケース１と第２ケース２の内部には、主に負荷側端子、電源側端子、負荷側端子と電源側端子の電路を接続・遮断する遮断機構等の部品が内部に収納されている。３は前記遮断機構に連動して回動するハンドルであり、その先端が第１ケース１と第２ケース２の長辺の端部の中間付近に露出して配設され、第１ケース１と第２ケース２に挟み込まれて、回動可能に軸支されている。
【００１４】
なお、本実施形態の配線用遮断器は、分電盤内に設けられた母線バーに、差し込むだけで接続作業が完了するプラグイン構造の配線用遮断器であり、電源側端子及び負荷側端子は、図１に示されるように、第１ケース１と第２ケース２の長手方向の端部に設けられた、差込凹部４に母線バーを差し込んで分電盤内に取り付けられる構造となっている。なお、本実施形態の差込凹部４は、第１ケースと第２ケース２の長手方向の端部に等間隔に３個設けられ、電源側端子と負荷側端子は、３個の差込凹部４のうち、いずれか２個を選択して配設される。
【００１５】
第１ケース１と第２ケース２の外縁部には、第１ケース１と第２ケース２を貫通するようにリベット用穴１ａ、２ａが設けられている。本実施形態では、リベット用穴１ａ、２ａは、図１に示されるように、ハンドル３の直下と、ハンドル３と反対側の長辺の両端と、差込凹部４の反対側でかつハンドル３の側方の４カ所に設けられている。これらの、リベット用穴１ａ、２ａにはリベットピン５が挿通され、このリベットピン５をかしめることにより、第１ケース１と第２ケース２を接合している。
【００１６】
図１や図２に示されるように、ハンドル３の側方でかつ、第１ケースの差込凹部４が設けられている端面１ｂに近設する位置には、第２ケース２側に突設した板部１０が突設されている。この板部１０の板面１０ａは、第１ケースの差込凹部４が設けられている端面
１ｂと垂直になるように配設されている。
【００１７】
図３に第１の実施形態を示す。板部１０の先端１０ｂには、板部１０の板面１０ａから垂直方向に膨出した引掛部１１が形成されている。この引掛部１１には、板部１０の先端１０ｂから基端１０ｃ方向にかけて除々に膨出する案内面１１ａが形成されている。図３において、案内面１１ａの下部、つまり、案内面１１ａから板部１０の基端１０ｃ方向の部分は、板部１０の板面１０ａと平行な面の先端面１１ｂが形成されている。図３において、先端面１１ｂの下部、つまり、先端面１１ｂの板部１０の基端１０ｃ方向の部分には、係合面１１ｃが形成されている。なお、この係合面１１ｃと板部１０の板面１０ａのなす角ａは９０度以上の鈍角であることが好ましい。
【００１８】
一方で、第２ケース２の、引掛部１１に対応する位置には、引掛部１１が引っ掛けられる被引掛部１２が設けられている。図４に引掛部１１と被引掛部１２の断面図を示す。被引掛部１２は、第２ケースに設けられた、板部１０と平行な壁部１３から、この壁部１３の壁面１３ａから引掛部１１方向に膨出されて形成されている。被引掛部１２には、壁部１３の先端１３ｂから基端１３ｃ方向にかけて除々に膨出する案内面１２ａが形成されている。図４において、案内面１２ａの右側部分、つまり、案内面１２ａから壁部１３の基端１３ｃ方向の部分は、壁部１３の壁面１３ａと平行な先端面１２ｂが形成されている。図４において、先端面１２ｂの右側部分、つまり、先端面１２ｂの壁部１３の基端１３ｃ方向の部分には、係合面１２ｃが形成されている。図４に示される実施形態では、係合面１２ｃは、壁部１３の壁面１３ａと垂直な面であるが、係合面１２ｃと板面１０ａのなす角が、９０度以上の鈍角であっても差し支えない。また、引掛部１１と被引掛部１２の両方の係合面１１ｃ、１２ｃと板部１０の板面１０ａのなす角を、９０度以上の鈍角にしても差し支えない。
【００１９】
次に、第２ケース２を第１ケース１に取り付ける際の、引掛部１１と被引掛部１２の作用について説明する。第１ケース１に負荷側端子、電源側端子、遮断機構、ハンドル３等の部品を搭載した後に、第１ケース１の開口に、第２ケース２の開口を合わせて、第２ケース２を第１ケース１に覆着する。この際に、引掛部１１の案内面１１ａと、被引掛部１２の案内面１２ａが当接する。これらの案内面１１ａ、１２ａは、板面１０ａや壁面１３ａに対して傾斜しているので、引掛部１１が被引掛部１２に侵入するにつれて、引掛部１１には侵入方向と垂直方向に力が作用し、板部１０が撓みながら引掛部１１が被引掛部１２に侵入し、引掛部１１が被引掛部１２を乗り越え、係合面１１ｃと係合面１２ｃが係合し、引掛部１１が被引掛部１２に引っ掛けられて、第２ケース２の第１ケースへの仮止め作業が完了する。（図４の状態）
【００２０】
第２ケース２の第１ケースへの仮止め作業が完了した後に、リベット用穴１ａ、２ａにリベット５を挿入し、このリベットピン５をかしめて組付作業が完了する。前述した引掛部１１が被引掛部１２に引っ掛けられている部分は、リベットピン５の代わりとなって、第１ケース１と第２ケース２を接合している。
【００２１】
自動組立機で配線用遮断器を組み立てる際には、あるロットごとに、ケースをかしめる前に第１ケース１と第２ケース２を開けて、正規に第１ケース１と第２ケース２の内部に収納された部品が配置されているか等を確認する必要がある。
【００２２】
次に、確認のために第１ケース１と第２ケース２を開く際の、引掛部１１と被引掛部１２の作用について説明する。第２ケース２を第１ケースから開く際には、図５に示されるように、差込凹部４が設けられている側の第２ケース２の端面２ｂと反対側の端部２ｃを押し上げる。すると、差込凹部４が設けられている側の配電用遮断器の端部の、つまり、引掛部１１に近設する側の第１ケース１と第２ケース２の端面１ｂ、２ｂの、第１ケース
１と第２ケース２が当接する部分を支点１５として、第２ケース２が回動する。この際に、板部１０の板面１０ａと壁部１３の壁面１３ａは差込凹部４が設けられている側の配線用遮断器の端面と垂直になっているので、第２ケース２が支点１５を中心に回動しても、板部１０と壁部１３はスライド可能となっている。
【００２３】
前述したように、図４に示される引掛部１１の係合面１１ｃと板部１０の板面１０ａのなす角ａが鈍角になっている場合には、第２ケース２が支点１５を中心に回動すると、引掛部１１と被引掛部１２は隔離する方向にスライドし、引掛部１１には板面１０と垂直方向に押される力が作用するので、板部１０が板面１０ａの垂直方向に撓んで、引掛部１１が被引掛部１２を乗り越えて、引掛部１１と被引掛部１２の係合が外れる。
【００２４】
引掛部１１及び被引掛部１２が設けられ、引掛部１１と被引掛部１２を隔離する力が作用する作用点１６と支点１５の距離ｂは近設しているが、支点１５の反対側の第２ケース２の端部２ｃの、第２ケース２を押し上げる力が作用する力点１７と支点１５の距離ｃは離隔しているので、てこの原理により、作用点１６に作用する力は、力点１７を押し上げる力のｃ／ｂ倍になり、少ない力で引掛部１１と被引掛部１２の係合を外すことができ、少ない力で簡単に第２ケース２を第１ケースから開くことが可能となる。
【００２５】
一方で、差込凹部４が設けられている側から、第２ケースを開けようとすると、力点と支点、作用点と支点の距離が殆ど同じ距離になるので、差込凹部４側から第２ケース２を開けることは困難となる。
【００２６】
組付完了時には、差込凹部４と反対側の第１ケース１及び第２ケース２の端面１ｂ、２ｂ側は、２個のリベットピン５で強固に接合されているので、差込凹部４と反対側の第１ケース１及び第２ケース２の端部１ｃ、２ｃ側、つまり、前述した力点１７側から開くことはできない。一方で、差込凹部４が設けられている側から、第２ケース２を開こうとしても、前述したように、第２ケース２を開けることは困難であるので、組付完了時には、引掛部１１と被引掛部１２が係合して、リベットピン５の代わりとなって、第１ケース１と第２ケース２を強固に接合することとなる。
【００２７】
なお、実施形態では、引掛部１１は、ハンドル３の側方でかつ、第１ケース１の差込凹部４が設けられている端面１ｂに近設する位置に設けられているが、引掛部１１が設けられている位置は、この位置に限定されず、第１ケース１の差込凹部４の反対側の端面に近設する位置や、第１ケース１のハンドル３が設けられている側の端面に近設する位置であっても、第１ケース１のハンドル３と反対側の端面に近設する位置であっても差し支えない。なお、引掛部１１を複数設けることとしても差し支えないが、第１ケースの同じ辺の端面に近設する位置に設ける必要がある。なお、引掛部１１は、前述した第２ケース２を押し上げる力が作用する力点と、第２ケース２が回動する中心の支点との距離を多くとるために、第１ケース１の短辺の端面に近設する位置に設けることが好ましい。
【００２８】
なお、従来のものでは、引掛部１１を押圧するためのマイナスドライバー等の工具を挿入するための開口部２１は大きなものであったが、本発明ではケースを開くのに工具を必要としないため、開口部２１を無くしたり、金型形成上必要な最小限のものとすることができる。よって、かしめた後では、客先で開けようとしても容易には開けることができないものである。
【００２９】
なお、実施形態では、引掛部１１を第１ケース１側に設け、被引掛部１２を第２ケース２側に設けることとしたが、引掛部１１を、前述した引掛部１１が設けられている第１ケース１に対応する位置の第２ケース２側に設け、被引掛部１２を第１ケース１側に設けることとしても差し支えないことは言うまでもない。
【００３０】
次に、第２の実施形態について説明する。第２の実施形態の引掛部１１は図６に示されるような形状をしている。この第２の実施形態の引掛部１１には、係合面１１ｃの支点１５の反対側の角部１１ｄを切り落として形成された、案内面１１ｅが設けられている。なお、この案内面１１ｅは、平面であっても曲面であっても差し支えない。
【００３１】
このように、第２の実施形態では、引掛部１１に案内面１１ｅを設けることとしたので、第２ケース２を、支点１５を中心に回動させることにより、被引掛部１２が、支点１５を中心に回動したとしても、被引掛部１２の角部１２ｄ（図４に示す）が、引っかかることなく、引掛部１１の案内面１１ｅに沿って回動する。この被引掛部１２の角部１２ｄが案内面１１ｅに沿って回動するにつれて、引掛部１１が撓んで、被引掛部１２の角部１２ｄが引掛部１１を乗り越えて、引掛部１１と被引掛部１２の係合が外れる。この第２の実施形態のように、引掛部１１に、案内面１１ｅを設けることとすると、より少ない力で簡単に、第２ケース２を第１ケースから開くことが可能となる。
【００３２】
なお、本実施形態では、案内面１１ｅを引掛部１１に設けているが、案内面を被引掛部１２の係合部１２ｃの、支点１５と反対側の角部１２ｄを切り落として、被引掛部１２側に案内面を設けてもよく、また、案内面を引掛部１１及び被引掛部１２の両方に設けることとしても差し支えない。
【００３３】
なお、実施形態（第１の実施形態、第２の実施形態）では、第１ケース１と第２ケース２の端面、つまり第１ケース１と第２ケースの端面１ｂ、２ｂの、第１ケース１と第２ケース２の当接部を支点１５としているが、支点を第１ケース１と第２ケース２の端面よりも内部に、専用の支点を設けることとしても差し支えない。
【００３４】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う配線用遮断器もまた技術的範囲に包含されるものとして理解されなければならない。     
【図面の簡単な説明】
【００３５】
【図１】本発明の実施の形態を示す配線用遮断器の正面図である。
【図２】図１の配線用遮断器の分解斜視図である。
【図３】引掛部の詳細図である。
【図４】引掛部と被引掛部の断面図である。
【図５】第２ケースを開く際の説明図である。
【図６】第２の実施形態の引掛部の詳細図である。
【符号の説明】
【００３６】
１      第１ケース
１ａ    リベット用穴
１ｂ    端面
１ｃ    端部
２      第２ケース
２ａ    リベット用穴
２ｂ    端面
２ｃ    端部
３      ハンドル
４      差込凹部
５      リベットピン
１０    板部
１０ａ  板部の板面
１０ｂ  板部の先端
１０ｃ  板部の基端
１１    引掛部
１１ａ  案内面
１１ｂ  先端面
１１ｃ  係合面
１１ｅ  案内面
１１ｄ  角部
１２    被引掛部
１２ａ  案内面
１２ｂ  先端面
１２ｃ  係合面
１２ｄ  角部
１３    壁部
１３ａ  壁部の壁面
１３ｂ  壁部の先端
１３ｃ  壁部の基端
１５    支点
１６    作用点
１７    力点
２０    配線用遮断器の端部
２１    開口部
ａ      係合面と板部の板面のなす角
ｂ      作用点と支点の距離
ｃ      力点と支点の距離
【図１】
2008084767.tif 000003
【図２】
2008084767.tif 000004
【図３】
2008084767.tif 000005
【図４】
2008084767.tif 000006
【図５】
2008084767.tif 000007
【図６】
2008084767.tif 000008